(57)【要約】【課題】安全性の高い貯湯式温水器を提供すること。【解決手段】本発明の貯湯式温水器は、湯水を貯える貯湯タンク１と、貯湯タンク１下部へ接続された給水管２と、貯湯タンク１上部へ接続された給湯管３と、給水管２と給湯管３とを接続し湯温を調整する湯温混合弁４と、貯湯タンク１の下部と上部を連結する連結管６と、連結管６の途中に配置された循環ポンプ７とを備え、湯温混合弁４下流の湯温が設定温度より高い状態を一定時間検出した時には、循環ポンプ７を駆動して貯湯タンク１下部の水を上部へ循環させることにより、出湯温度を低下させることを可能としたものである。【選択図】図１
2009085564.tif 000002
【特許請求の範囲】
【請求項１】
湯水を貯える貯湯タンクと、前記貯湯タンク下部へ接続された給水管と、前記貯湯タンク上部へ接続された給湯管と、前記給水管と前記給湯管とを接続し湯温を調整する湯温混合弁と、前記貯湯タンクの下部と上部を連結する連結管と、前記連結管の途中に配置された循環ポンプとを備え、前記湯温混合弁下流の湯温が設定温度より高い状態を一定時間検出した時には、前記循環ポンプを駆動して前記貯湯タンク下部の水を上部へ循環させることを特徴とする貯湯式温水器。
【請求項２】
貯湯タンクの下部と上部を連結する連結管の途中に加熱手段を備え、前記貯湯タンク内の湯の沸き上げ時は、前記加熱手段を動作させて循環ポンプを駆動し、前記貯湯タンク下部の水を前記加熱手段にて温水とするとともに、前記湯温混合弁下流の湯温が設定温度より高い状態を一定時間検出した時は、前記加熱手段を動作させないで前記循環ポンプを駆動することを特徴とする請求項１記載の貯湯式温水器。
【発明の詳細な説明】
【技術分野】
【０００１】
本発明は湯温混合弁により出湯湯温を調整する貯湯式温水器に関するものである。
【背景技術】
【０００２】
従来、湯温混合弁により出湯湯温を調整する貯湯式温水器は、貯湯タンク上部の高温水と給水管より供給される低温水とを設定温度へ混合し出湯していた。（例えば、特許文献１参照）
図３は特許文献１に記載された従来の湯温混合弁により出湯湯温を調整する貯湯式温水器の構成を示すものである。
【特許文献１】特開２００４−１４４３１５号公報
【発明の開示】
【発明が解決しようとする課題】
【０００３】
しかしながら、前記従来の構成では、湯温混合弁のロック等が発生すると設定温度より高い温度の湯が、使用者に出湯されるという課題を有していた。
【０００４】
本発明は、前記従来の課題を解決するもので、安全性の高い貯湯式温水器を提供することを目的とする。
【課題を解決するための手段】
【０００５】
前記従来の課題を解決するために、本発明の貯湯式温水器は、湯水を貯える貯湯タンクと、前記貯湯タンク下部へ接続された給水管と、前記貯湯タンク上部へ接続された給湯管と、前記給水管と前記給湯管とを接続し湯温を調整する湯温混合弁と、前記貯湯タンクの下部と上部を連結する連結管と、前記連結管の途中に配置された循環ポンプとを備え、前記湯温混合弁下流の湯温が設定温度より高い状態を一定時間検出した時には、前記循環ポンプを駆動して前記貯湯タンク下部の水を上部へ循環させることにより、出湯温度を低下させることを可能としたものである。
【０００６】
これによって、湯温混合弁より下流側の湯の温度が設定温度より高い状態を一定時間検出することによって異常であると判断し、異常であると判断した場合には、循環ポンプを駆動させて低温の湯水を貯湯タンクの上部に送ることによって、貯湯タンクから湯温混合弁へ供給される湯の温度が低下するため、使用者に対して高温の湯を出湯させることがない。
【発明の効果】
【０００７】
本発明は、安全性の高い貯湯式温水器を提供することができる。
【発明を実施するための最良の形態】
【０００８】
第１の発明は、湯水を貯える貯湯タンクと、前記貯湯タンク下部へ接続された給水管と、前記貯湯タンク上部へ接続された給湯管と、前記給水管と前記給湯管とを接続し湯温を調整する湯温混合弁と、前記貯湯タンクの下部と上部を連結する連結管と、前記連結管の途中に配置された循環ポンプとを備え、前記湯温混合弁下流の湯温が設定温度より高い状態をある一定時間検出した時には、前記循環ポンプを駆動して前記貯湯タンク下部の水を上部へ循環させることにより、湯温混合弁より下流側の湯の温度が設定温度より高い状態を一定時間検出することによって異常であると判断し、異常であると判断した場合には、循環ポンプを駆動させて低温の湯水を貯湯タンクの上部に送ることによって、貯湯タンクから湯温混合弁へ供給される湯の温度が低下するため、使用者に対して高温の湯を出湯さ
せることがない安全性の高い貯湯式温水器を提供することができる。
【０００９】
第２の発明は、特に第１の発明において、貯湯タンクの下部と上部を連結する連結管の途中に加熱手段を備え、前記貯湯タンク内の湯の沸き上げ時は、前記加熱手段を動作させて循環ポンプを駆動し、前記貯湯タンク下部の水を前記加熱手段にて温水とするとともに、前記湯温混合弁下流の湯温が設定温度より高い状態を一定時間検出した時は、前記加熱手段を動作させないで前記循環ポンプを駆動することにより、加熱回路と水を送る回路とを兼用することができ、簡単な構成で安全性の高い貯湯式温水器を提供することができる。
【００１０】
以下、本発明の実施の形態について図面を参照しながら説明する。なお、この実施の形態によって本発明が限定されるものではない。
【００１１】
（実施の形態１）
図１は、本実施の形態における貯湯式温水器の構成を示した図である。図１において、湯水を貯える貯湯タンク１の下部へは給水源から水を供給する給水管２が、上部には高温湯を出湯する給湯管３が接続され、給水管２の分岐管と給湯管３は湯温混合弁４にて接続されて設定温度の湯温に調整されている。
【００１２】
湯温混合弁４の下流には、湯温検出手段であるサーミスタ９が配設されており、サーミスタ９で検出される湯の温度が、台所や浴室等のリモコン（図示せず）にて設定した温度となるように、湯温混合弁４の湯と水との混合比が調節される。そして設定温度に調節された湯は、蛇口５を経て出湯される。
【００１３】
また、貯湯タンク１は、下部と上部を連結する連結管６を備えており、連結管の途中には循環ポンプ７を有している。なお、連結管の途中には、冷媒にＣＯ２を使用したヒートポンプ加熱装置８が配置されており、貯湯タンク１内の湯を沸き上げる際には、ヒートポンプ加熱装置８を動作させる。そして、循環ポンプ７を駆動し、貯湯タンク下部の低温水をヒートポンプ加熱装置８で高温水にするとともに、貯湯タンク１の上部から積層状態に貯えていく。
【００１４】
以上のように構成された貯湯式温水器について、以下その動作、作用を図２を用いて説明する。図２は、湯温混合弁４の異常モードの動作シーケンスを示している。
【００１５】
まず、ある設定温度での出湯時に、湯温混合弁４がロック等の異常モードへ陥る（ステップ１）。その際、ある設定温度より高い出湯をある一定時間検出（ステップ２）したら、循環ポンプ７を駆動させ（ステップ３）貯湯タンク１下部の低温水を上部へ循環させることにより、貯湯タンク１上部の高温水が緩和され、よって、給湯管３内の湯温が低下し、結果的に蛇口５を経て出湯される湯温を低下させることが可能となる。
【００１６】
この時、ヒートポンプ加熱手段８の動作を停止することで、循環ポンプ７を駆動することによって貯湯タンク１下部の水が、ヒートポンプ加熱手段８において高温水が生成されることなく、貯湯タンク１の上部に送られるため、湯温混合弁４に供給される湯の温度は低下し、湯温混合弁がロックしたとして、安全性を確保することができる。
【００１７】
以上のように、本発明の貯湯式温水器は、湯温混合弁が異常モードに陥り設定温度より高い出湯をある一定時間検出した時に、出湯温度を低下させることを可能とした。
【産業上の利用可能性】
【００１８】
本発明は、加熱手段としてヒートポンプ式の加熱手段を使用したが、これに限定される
ことはなく、例えば電気温水器のように貯湯タンク内部にヒーターが内蔵されているものにも適用することができる。
【図面の簡単な説明】
【００１９】
【図１】本発明の実施の形態１における貯湯式温水器の構成図
【図２】本発明の実施の形態１における貯湯式温水器の湯温混合弁異常時の動作シーケンスフロー図
【図３】従来の貯湯式温水器の構成図
【符号の説明】
【００２０】
１  貯湯タンク
２  給水管
３  給湯管
４  湯温混合弁
５  蛇口
６  連結管
７  循環ポンプ
８  加熱手段
９  サーミスタ
【図１】
2009085564.tif 000003
【図２】
2009085564.tif 000004
【図３】
2009085564.tif 000005